(57)【要約】      （修正有）【課題】モータおよびファンを有するモータモジュールにおいて、騒音を低減できる技術を提供する。【解決手段】モータモジュールは、筒状の本体部２１を有する筐体２０、吸気口２１１、排気口２１２、吸気口と排気口とを繋ぐ流路４０、流路の内部の仕切部６１〜６４を有する。流路は、ファン収容部４１、ファン収容部と第１連通路４２１を介して連通する第１消音室４２２、第１消音室と第２連通路４２３を介して連通する第２消音室４３４とを含み、第２消音室は、排気口と連通する。第１消音室の流路断面積は、第１連通路の流路断面積よりも大きい。また、第２消音室の流路断面積は、第２連通路の流路断面積よりも大きい。このようにファンと排気口との間に、第１連通路および第１消音室と、第２連通路および第２消音室とにより構成される２つの拡張型消音器が配置されることにより、ファンにおいて発生する騒音を効率良く低減できる。【選択図】図２
2018064849.tif 000002
【特許請求の範囲】
【請求項１】
回転軸を中心として回転する回転部を有するモータと、
前記モータの軸方向一方側に配置され、前記回転部とともに回転するファンと、
前記モータおよび前記ファンを内部に収容する筐体と、
を有し、
前記筐体は、
軸方向に延びる筒状の本体部と、
前記ファンの軸方向一方側に配置された吸気口と、
前記ファンの軸方向他方側かつ前記モータの径方向外側に配置された排気口と、
前記本体部と前記モータとの間において、前記吸気口と前記排気口とを繋ぐ空間である流路と、
前記流路の内部に配置され、前記流路を仕切る仕切部と、
を有し、
前記流路は、
前記ファンが収容され、前記吸気口と直接連通するファン収容部と、
前記ファン収容部と第１連通路を介して連通する第１消音室と、
前記第１消音室と第２連通路を介して連通し、かつ、前記排気口と直接または間接的に連通する第２消音室と、
を含み、
前記第１消音室の流路断面積は、前記第１連通路の流路断面積よりも大きく、
前記第２消音室の流路断面積は、前記第２連通路の流路断面積よりも大きい、モータモジュール。
【請求項２】
請求項１に記載のモータモジュールであって、
前記仕切部は、
前記ファン収容部と前記第１消音室との間に配置される板状の第１仕切部と、
前記第１消音室と前記第２消音室との間に配置される板状の第２仕切部と、
を含む、モータモジュール。
【請求項３】
請求項２に記載のモータモジュールであって、
前記第１仕切部は、
軸方向に対して略垂直に拡がる第１板部と、
前記第１板部から軸方向他方側に延びる第１屈曲部と、
をさらに有する、モータモジュール。
【請求項４】
請求項２または請求項３に記載のモータモジュールであって、
前記第２仕切部は、
軸方向に対して略垂直に拡がる第２板部と、
前記第２板部から軸方向他方側に延びる第２屈曲部と、
をさらに有する、モータモジュール。
【請求項５】
請求項１ないし請求項４のいずれかに記載のモータモジュールであって、
前記第１連通路および前記第２連通路は、前記本体部の内壁に沿って配置され、
前記第１連通路と、前記第２連通路とは、少なくとも一部が軸方向に重なる、モータモジュール。
【請求項６】
請求項１ないし請求項４のいずれかに記載のモータモジュールであって、
前記第１連通路は、前記本体部の内壁に沿って配置され、
前記第２連通路は、前記モータに沿って配置され、
前記第１連通路と、前記第２連通路とは、軸方向に見て異なる位置に配置される、モータモジュール。
【請求項７】
請求項１ないし請求項６のいずれかに記載のモータモジュールであって、
前記筐体は、
前記モータと、前記流路との間に配置されるモータ被覆部
をさらに有し、
前記流路の少なくとも一部は、前記モータ被覆部と前記本体部とにより囲まれる、モータモジュール。
【請求項８】
請求項１ないし請求項７のいずれかに記載のモータモジュールであって、
前記排気口は、前記本体部に設けられた貫通孔であり、かつ、前記第２消音室と直接連通する、モータモジュール。
【請求項９】
請求項８に記載のモータモジュールであって、
前記筐体は、
前記排気口の軸方向他方側において、前記第２消音室と、前記第２消音室の軸方向他方側とを仕切る隔壁部
をさらに有する、モータモジュール。
【請求項１０】
請求項１ないし請求項９のいずれかに記載のモータモジュールであって、
前記筐体は、
一体に形成された第１筐体と、
一体に形成された第２筐体と、
により構成され、
前記第１筐体と前記第２筐体とは、前記回転軸を通る平面において互いに接触する接触面を有する、モータモジュール。
【請求項１１】
請求項１０に記載のモータモジュールであって、
前記第１筐体は、前記平面から前記第２筐体側へ突出する凸部を有し、
前記第２筐体は、前記平面から凹む凹部を有し、
前記凸部は、前記凹部に嵌め込まれる、モータモジュール。
【請求項１２】
吸気ヘッドと、
気流中に含まれる粉塵と前記気流とを分離する粉塵分離部と、
請求項１０または請求項１１に記載のモータモジュールと、
を有し、
前記筐体は、
前記平面に対して略対称形状の取っ手
を有し、
前記モータモジュールは、前記吸気ヘッドおよび前記粉塵分離部を介して前記吸気口へと気体を吸引するとともに、前記気体を前記排気口から排出する、ハンディ型、アップライト型またはスティック型の掃除機。
【請求項１３】
吸気ヘッドと、
気流中に含まれる粉塵と前記気流とを分離する粉塵分離部と、
前記吸気ヘッドと前記粉塵分離部とを繋ぐホース部と、
請求項１ないし請求項１１のいずれかに記載のモータモジュールと、
を有し、
前記モータモジュールは、前記吸気ヘッド、前記ホース部および前記粉塵分離部を介して前記吸気口へと気体を吸引するとともに、前記気体を前記排気口から排出する、キャニスタ型の掃除機。
【発明の詳細な説明】
【技術分野】
【０００１】
本発明は、モータモジュールと、モータモジュールを有する掃除機とに関する。
【背景技術】
【０００２】
従来、掃除機などの吸引力を必要とする装置には、モータおよびファンが搭載されている。従来のキャニスタ型の掃除機に加え、近年、ハンディ型、アップライト型またはスティック型と呼ばれる小型の掃除機が増えている。モータおよびファンを有する従来のハンディ型の掃除機については、例えば、特開２０１６−６７６６４号公報に記載されている。
【特許文献１】特開２０１６−６７６６４号公報
【発明の概要】
【発明が解決しようとする課題】
【０００３】
近年、集合住宅の増加などにより、掃除機の静音化が求められている。また、小型の掃除機は、様々な場所やシーンで用いることができる。このため、小型の掃除機では、大型の掃除機よりもさらに、静音化が求められる。すなわち、モータおよびファンを有するモータモジュールにおいて、騒音を低減することが求められる。
【０００４】
本発明の目的は、モータおよびファンを有するモータモジュールにおいて、騒音を低減できる技術を提供することである。
【課題を解決するための手段】
【０００５】
本願の例示的な第１発明は、回転軸を中心として回転する回転部を有するモータと、前記モータの軸方向一方側に配置され、前記回転部とともに回転するファンと、前記モータおよび前記ファンを内部に収容する筐体と、を有し、前記筐体は、軸方向に延びる筒状の本体部と、前記ファンの軸方向一方側に配置された吸気口と、前記ファンの軸方向他方側かつ前記モータの径方向外側に配置された排気口と、前記本体部と前記モータとの間において、前記吸気口と前記排気口とを繋ぐ空間である流路と、前記流路の内部に配置され、前記流路を仕切る仕切部と、を有し、前記流路は、前記ファンが収容され、前記吸気口と直接連通するファン収容部と、前記ファン収容部と第１連通路を介して連通する第１消音室と、前記第１消音室と第２連通路を介して連通し、かつ、前記排気口と直接または間接的に連通する第２消音室と、を含み、前記第１消音室の流路断面積は、前記第１連通路の流路断面積よりも大きく、前記第２消音室の流路断面積は、前記第２連通路の流路断面積よりも大きい、モータモジュールである。
【発明の効果】
【０００６】
本願の例示的な第１発明によれば、第１連通路および第１消音室が、拡張型消音器を構成する。また、第２連通路および第２消音室が、拡張型消音器を構成する。ファンと排気口との間に２つの拡張型消音器が配置されることにより、ファンにおいて発生する騒音を効率良く低減できる。
【図面の簡単な説明】
【０００７】
【図１】図１は、第１実施形態に係る掃除機の側面図である。
【図２】図２は、第１実施形態に係るモータモジュールの断面図である。
【図３】図３は、第１実施形態に係るモータモジュールのＡ−Ａ断面図である。
【図４】図４は、第１実施形態に係るモータモジュールの第１筐体の斜視図である。
【図５】図５は、変形例に係るモータモジュールの断面図である。
【図６】図６は、変形例に係るモータモジュールの断面図である。
【図７】図７は、変形例に係るモータモジュールの断面図である。
【図８】図８は、変形例に係るモータモジュールの断面図である。
【発明を実施するための形態】
【０００８】
以下に、モータモジュールを有する掃除機の例を開示する。なお、本開示では、モータの回転軸と平行な方向を「軸方向」、モータの回転軸に直交する方向を「径方向」、モータの回転軸を中心とする円周に沿う方向を「周方向」、とそれぞれ称する。また、本開示では、充電池に対して取っ手部側を上として、各部の形状および位置関係を説明する。ただし、この上下方向の定義により、モータモジュールの製造時および使用時の向きを限定する意図ない。
【０００９】
＜１．第１実施形態＞
＜１−１．掃除機の構成＞
図１は、第１実施形態に係る掃除機１の側面図である。掃除機１は、モータモジュール１０と、粉塵分離部１１と、ノズル１２とを有する。掃除機１は、所謂ハンディ型の掃除機である。
【００１０】
図２は、モータモジュール１０の断面図である。図２に示すように、モータモジュール１０は、筐体２０と、モータ３１と、ファン３２と、充電池３３とを有する。
【００１１】
筐体２０は、モータ３１、ファン３２および充電池３３を内部に収容する。筐体２０は、ファン３２の軸方向一方側に配置され、粉塵分離部１１と、ファン３２が収容される筐体２０の内部の空間とを連通する吸気口２１１と、筐体２０の側面に設けられた排気口２１２とを有する。また、筐体２０は、その内部に、吸気口２１１と排気口２１２とを繋ぐ空間である流路４０を有する。筐体２０の詳細な構成については、後述する。
【００１２】
モータ３１は、ブラシレスモータである。モータ３１は、回転軸９を中心として回転する回転部を有する。ファン３２は、モータ３１の軸方向一方側に配置される。また、ファン３２は、モータ３１の回転部とともに回転する。ファン３２は、回転によって径方向外側へ向かう気流を発生させる、所謂遠心ファンである。これにより、ファン３２は、筐体２０の流路４０内に吸気口２１１から排気口２１２へと向かう気流を発生させる。充電池３３は、モータ３１に駆動電力を供給する。
【００１３】
粉塵分離部１１は、モータモジュール１０の軸方向一方側に配置される。ノズル１２は、粉塵分離部１１の軸方向一方側に配置される。粉塵分離部１１は、ノズル１２から吸引された気流に含まれる粉塵およびゴミを分離する。粉塵分離部１１は、紙パックにより粉塵およびゴミを分離するものであってもよいし、サイクロン・セパレータにより粉塵およびゴミを分離するものであってもよい。
【００１４】
掃除機１を駆動させると、モータ３１が駆動し、ノズル１２から、粉塵分離部１１の内部、吸気口２１１、モータモジュール１０の内部を通って、排気口２１２へと向かう気流が発生する。これにより、ノズル１２から気流とともに粉塵やゴミが吸引される。ノズルから流入した気流は、粉塵分離部１１において粉塵およびゴミが取り除かれる。そして、粉塵およびゴミが取り除かれた気流は、モータモジュール１０内を通って排気口２１２から排出される。
【００１５】
＜１−２．筐体の構成＞
続いて、筐体２０の具体的な構成について、図２〜図４を参照しつつ説明する。図３は、モータモジュール１０のＡ−Ａ矢視断面図である。図４は、後述する第１筐体７１の斜視図である。
【００１６】
筐体２０は、本体部２１と、取っ手部２２と、充電池収容部２３とを有する。
【００１７】
本体部２１は、軸方向に延びる筒状の部位である。本体部２１の軸方向一方側には、軸方向に貫通する吸気口２１１が設けられている。吸気口２１１は、ファン３２の軸方向一方側に配置される。また、本体部２１の側面には、貫通孔である排気口２１２が設けられている。排気口２１２は、ファン３２の軸方向他方側かつモータ３１の径方向外側に配置される。
【００１８】
取っ手部２２および充電池収容部２３は、排気口２１２の軸方向他方側に配置される。取っ手部２２は、充電池収容部２３よりも上側に配置される。ここで、取っ手部２２は、軸方向および上下方向に対して垂直な左右方向に貫通する取っ手穴２２１と、取っ手穴２２１の上部において軸方向に延びる把持部２２２とにより構成される。充電池収容部２３には、充電池３３が収容される。
【００１９】
図２および図４に示すように、筐体２０は、その内部の空間を仕切る上側壁部５１、下側壁部５２および中央壁部５３を有する。
【００２０】
上側壁部５１、下側壁部５２および中央壁部５３は、筐体２０の内部の空間を、流路４０と、流路４０以外の部分とに仕切る。本実施形態では、流路４０は、ファン３２が収容されるファン収容部４１と、ファン収容部４１から軸方向他方側に延びる上側流路４２および下側流路４３とを含む。すなわち、本実施形態の流路４０は、ファン３２の下流側において、上側流路４２と下側流路４３とに分岐する。
【００２１】
上側流路４２は、モータ３１の上方に配置される。下側流路４３は、モータ３１の下方に配置される。上側壁部５１は、モータ３１の上方において、上側流路４２と、流路４０以外の部分とを仕切る。下側壁部５２は、モータ３１の下方において、下側流路４３と、流路４０以外の部分とを仕切る。また、中央壁部５３は、上側壁部５１の軸方向一方側の端部と、下側壁部５２の軸方向一方側の端部とを上下方向に繋ぐ。これにより、ファン収容部４１と、モータ３１が収容される空間とを仕切る。
【００２２】
上側壁部５１は、上側モータ被覆部５１１と、上側隔壁部５１２とを有する。下側壁部５２は、下側モータ被覆部５２１と、下側隔壁部５２２とを有する。上側モータ被覆部５１１および下側モータ被覆部５２１は、それぞれ、軸方向かつ左右方向に板状に延びる。上側モータ被覆部５１１は、モータ３１と上側流路４２との間に配置される。下側モータ被覆部５２１は、モータ３１と下側流路４３との間に配置される。
【００２３】
このため、上側モータ被覆部５１１と径方向に重なる位置において、上側流路４２は、上側モータ被覆部５１１と本体部２１とにより囲まれる。また、下側モータ被覆部５２１と径方向に重なる位置において、下側流路４３は、下側モータ被覆部５２１と本体部２１とにより囲まれる。
【００２４】
このように、モータ３１と各流路４２，４３との間にモータ被覆部５１１，５２１が配置されることにより、モータ３１の形状に関わらず、各流路４２，４３の形状を規定できる。これにより、モータ３１を異なる形状のものと交換した場合であっても、各流路４２，４３内における流路抵抗や、後述する消音効果を一定に保つことができる。
【００２５】
上側隔壁部５１２および下側隔壁部５２２は、それぞれ、上下方向かつ左右方向に板状に延びる。上側隔壁部５１２は、上側モータ被覆部５１１の軸方向他方側端部から本体部２１の内壁まで延びる。これにより、上側隔壁部５１２は、上側流路４２の軸方向他方側において、上側流路４２と、上側流路４２の軸方向他方側に位置する流路でない空間とを仕切る。すなわち、上側隔壁部５１２は、排気口２１２の軸方向他方側において、後述する第２消音室４２４と、第２消音室４２４の軸方向他方側に位置する流路でない空間とを仕切る。
【００２６】
下側隔壁部５２２は、下側モータ被覆部５２１の軸方向他方側端部から本体部２１の内壁まで延びる。これにより、下側隔壁部５２２は、下側流路４３の軸方向他方側において、下側流路４３と、下側流路４３の軸方向他方側に位置する流路でない空間とを仕切る。すなわち、下側隔壁部５２２は、排気口２１２の軸方向他方側において、後述する第２消音室４３４と、第２消音室４３４の軸方向他方側に位置する流路でない空間とを仕切る。
【００２７】
このように、上側壁部５１および下側壁部５２が、筐体２０内の空間を、各流路４２，４３と、流路４０以外の空間とに仕切る。これにより、流路４０以外の空間の影響を受けることなく、各流路４２，４３の形状を規定できる。したがって、例えば、取っ手部２２、充電池収容部２３および充電池３３等の部位に気流が当たって、騒音が発生するのが抑制される。また、取っ手部２２、充電池収容部２３および充電池３３の形状に関わらず、各流路４２，４３内における流路抵抗や、後述する消音効果を一定に保つことができる。
【００２８】
筐体２０は、流路４０の内部に配置され、流路４０を仕切る板状の仕切部６１〜６４を有する。具体的には、４つの仕切部６１〜６４には、ファン収容部４１と上側流路４２とを仕切る上側第１仕切部６１と、上側流路４２内を仕切る上側第２仕切部６２と、ファン収容部４１と下側流路４３とを仕切る下側第１仕切部６３と、下側流路４３内を仕切る下側第２仕切部６４とを有する。
【００２９】
上側第１仕切部６１は、第１板部６１１と第１屈曲部６１２とを有する。第１板部６１１は、モータ３１の軸方向一方側かつファン３２の軸方向他方側において、軸方向に対して略垂直に拡がる。第１屈曲部６１２は、第１板部６１１から軸方向他方側に延びる。上側第２仕切部６２は、第２板部６２１と第２屈曲部６２２とを有する。第２板部６２１は、上側第１仕切部６１の軸方向他方側かつ上側隔壁部５１２の軸方向一方側において、軸方向に対して略垂直に拡がる。第２屈曲部６２２は、第２板部６２１から軸方向他方側に延びる。
【００３０】
これにより、上側流路４２は、第１連通路４２１、第１消音室４２２、第２連通路４２３および第２消音室４２３を有する。
【００３１】
第１連通路４２１は、上側第１仕切部６１と、本体部２１の上部の内壁との間において、軸方向に連通する空間である。具体的には、第１連通路４２１は、第１屈曲部６１２と、本体部２１の上部の内壁との間において、ファン収容部４１と第１消音室４２２とを連通する。第１消音室４２２は、上側第１仕切部６１および第１連通路４２１の軸方向他方側、上側モータ被覆部５１１の上側、本体部２１の内壁の径方向内側、かつ、上側第２仕切部６２および第２連通路４２３の軸方向一方側に囲まれた空間である。
【００３２】
第２連通路４２３は、上側第２仕切部６２と、上側モータ被覆部５１１との間において、軸方向に連通する空間である。具体的には、第２連通路４２３は、第２屈曲部６２２と、上側モータ被覆部５１１との間において、第１消音室４２２と第２消音室４２４とを連通する。第２消音室４２４は、上側第２仕切部６２および第２連通路４２３の軸方向他方側、上側モータ被覆部５１１の上側、本体部２１の内壁の径方向内側、かつ、上側隔壁部５１２の軸方向一方側に囲まれた空間である。第２消音室４２４を構成する本体部２１には、貫通孔である排気口２１２が左右に３つずつ設けられている。すなわち、排気口２１２は、第２消音室４２４と直接連通する。なお、排気口２１２は、第２消音室４２４と間接的に連通してもよい。
【００３３】
また、下側流路４３は、上側流路４２を上下反転させたものと同様の構成となっている。このため、下側第１仕切部６３および下側第２仕切部６４は、上側第１仕切部６１および上側第２仕切部６２を上下反転させた形状を有する。これにより、下側流路４３は、上側流路４２と同様に、第１連通路４３１、第１消音室４３２、第２連通路４３３および第２消音室４３４を有する。下側流路４３の第１連通路４３１、第１消音室４３２、第２連通路４３３および第２消音室４３４は、それぞれ、上側流路４２の第１連通路４２１、第１消音室４２２、第２連通路４２３および第２消音室４２４と類似した構成となっている。
【００３４】
なお、上側流路４２と下側流路４３とは、上下方向の長さが異なる。上側流路４２の各部の上下方向の長さは、下側流路４３の各部の上下方向の長さよりも長い。このため、上側第２仕切部６２の上下方向の長さは、下側第２仕切部６４の上下方向の長さよりも長いこのように、ファン３２の下流側において流路４０が分岐する場合に、分岐後の流路４２，４３ごとに流路断面積が異なっていてもよい。下側流路４３の構成のうち、上側流路４２と同等の構成については説明を省略する。
【００３５】
モータ３１が駆動してファン３２が回転すると、ファン３２が、ファン３２の上方からファン３２の径方向外側へと向かう気流を発生させる。これにより、ファン収容部４１の内部に、吸気口２１１から第１連通路４２１，４３１を介して上側流路４２および下側流路４３へと向かう気流が発生する。そして、当該気流はそれぞれ、第１消音室４２２，４３２、第２連通路４２３，４３３および第２消音室４２４，４３４を通って、排気口２１２からモータモジュール１０の外へと排出される。
【００３６】
第１消音室４２２の流路断面積は、第１連通路４２１の流路断面積よりも大きい。これにより、第１連通路４２１および第１消音室４２２が、第１拡張型消音器４０１を構成する。また、第２消音室４２４の流路断面積は、第２連通路４２３の流路断面積よりも大きい。これにより、第２連通路４２３および第２消音室４２４が、第２拡張型消音器４０２を構成する。このように、上側流路４２において、ファン３２と排気口２１２との間に２つの拡張型消音器４０１，４０２が配置されることにより、ファン３２において発生した騒音を効率良く低減できる。
【００３７】
本実施形態では、上側第１仕切部６１が第１屈曲部６１２を有することにより、第１連通路４２１の軸方向の長さを長くできる。第１連通路４２１の管路長を確保することにより、第１連通路４２１および第１消音室４２２により構成される第１拡張型消音器４０１の消音効果を向上できる。また、第１屈曲部６１２の長さを適宜調整することにより、第１連通路４２１の長さを調整できる。したがって、第１拡張型消音器４０１の消音効果を微調整でき、消音性能をより向上できる。
【００３８】
また、第１連通路４２１の一部が第１消音室４２２の内部に配置されることにより、第１拡張型消音器４０１が、内ダクト付き消音器となる。具体的には、第１屈曲部６１２の下方かつ上側モータ被覆部５１１の上方の空間が内ダクトの役割を果たす。このため、当該空間が、サイドブランチ型消音器（すなわち、干渉型／共鳴型消音器）として機能する。したがって、第１拡張型消音器４０１の消音効果を微調整でき、消音性能をより向上できる。
【００３９】
一方、上側第２仕切部６２が第２屈曲部６２２を有することにより、第２連通路４２３の軸方向の長さを長くできる。第２連通路４２３の管路長を確保することにより、第２連通路４２３および第２消音室４２４により構成される第２拡張型消音器４０２の消音効果を向上できる。また、第２屈曲部６２２の長さを適宜調整することにより、第２連通路４２３の長さを調整できる。したがって、第２拡張型消音器４０２の消音効果を微調整でき、消音性能をより向上できる。
【００４０】
また、第２連通路４２３の一部が第２消音室４２４の内部に配置されることにより、第２拡張型消音器４０２が、内ダクト付き消音器となる。具体的には、第２屈曲部６２２の上方かつ本体部２１の上部の内壁の下方の空間が内ダクトの役割を果たす。このため、当該空間が、サイドブランチ型消音器として機能する。したがって、第２拡張型消音器４０２の消音効果を微調整でき、消音性能をより向上できる。
【００４１】
下側流路４３についても、上側流路４２と同様に、第１連通路４３１および第１消音室４３２と、第２連通路４３３および第２消音室４３４とが、それぞれ、拡張側消音器を構成する。このように、下側流路４３においても、ファン３２と下側の排気口２１２との間に２つの拡張型消音器が配置されることにより、ファン３２において発生した騒音を効率良く低減できる。
【００４２】
本実施形態では、第１連通路４２１は、本体部２１の上部の内壁に沿って配置される。これにより、ファン３２によりファン収容部４１内に生じた、径方向外側へと向かう気流が、第１連通路４２１内へと進入しやすい。また、第２連通路４２３は、モータ３１に沿って配置される。これにより、第１連通路４２１と第２連通路４２３とは、軸方向に見て異なる位置に配置される。このように第１連通路４２１と第２連通路４２３との軸方向の位置をずらすことにより、第１連通路４２１および第１消音室４２２により構成される第１拡張型消音器４０１の消音効果を向上できる。すなわち、モータモジュール１０全体として、消音効果を重視した設計となる。
【００４３】
図３に示すように、本実施形態では、筐体２０は、一体に形成された第１筐体７１と、一体に形成された第２筐体７２とにより構成される。第１筐体７１と、第２筐体７２とはそれぞれ、回転軸９を通る平面９０において互いに接触する接触面７１０，７２０を有する。筐体２０は、この平面９０に対して略対称に構成される。このため、取っ手部２２も、平面９０に対して略対称形状である。
【００４４】
このように、筐体２０を半割した２つの部材で構成することにより、モータモジュール１０の製造工程において、各部品の組み立て効率を向上できる。また、このような半割の第１筐体７１および第２筐体７２において、各仕切部６１〜６４がそれぞれ、平面９０に対して垂直に配置されている。これにより、第１筐体７１および第２筐体７２を射出成型により形成する場合に、金型の部品点数を少なくできる。したがって、製造コストを削減できる。
【００４５】
なお、本実施形態では、上側第１仕切部６１および下側第１仕切部６３が、第１筐体７１および第２筐体７２とは別に形成された部材で構成される。上側第１仕切部６１および下側第１仕切部６３は、モータモジュール１０の組み立て時に、第１筐体７１および第２筐体７２の中央壁部５３に挿入して組み立てられる。
【００４６】
第１筐体７１は、平面９０から第２筐体７２側へ突出する第１凸部７１１を有する。第２筐体７２は、平面９０から凹む第１凹部７２１を有する。第１凸部７１１は、第１凹部７２１に嵌め込まれる。これにより、第１筐体７１と第２筐体７２とが安定して固定される。第１凸部７１１および第１凹部７２１は、それぞれ、筐体２０の外表面付近と、取っ手穴２２１の周囲に配置される。
【００４７】
また、図４に示すように、第１筐体７１は、平面９０から凹む第２凹部７１２を有する。第２筐体７２は、平面９０から第１筐体７１側へ突出する第２凸部（図示せず）を有する。第２凸部は、第２凹部７１２に嵌め込まれる。これにより、第１筐体７１と第２筐体７２とが、より安定して固定される。
【００４８】
＜２．変形例＞
図５は、一変形例に係るモータモジュール１０Ａの断面図である。図５の例のモータモジュール１０Ａでは、上側流路４２Ａに設けられた排気口２１２Ａの数と、下側流路４３Ａに設けられた排気口２１２Ａの数とが異なる。このように、ファン３２Ａの下流側において流路４０Ａが分岐する場合に、分岐後の流路４２Ａ，４３Ａごとに排気口２１２Ａの数が異なっていてもよい。
【００４９】
図６は、他の変形例に係るモータモジュール１０Ｂの断面図である。図６の例のモータモジュール１０Ｂでは、上側第２仕切部６２Ｂの第２板部６２１Ｂが、軸方向に対して斜めに傾いて配置される。下側第２仕切部６４Ｂについても、上側第２仕切部６２Ｂと同様に、その第２板部６４１Ｂが軸方向に対して斜めに傾いて配置される。
【００５０】
図６に示すように、各仕切部は、その角度や長さを自在に変更してよい。これにより、各流路内に設けられる第１拡張型消音器および第２拡張型消音器の消音効果を調整でき、消音性能をより向上できる。
【００５１】
図７は、他の変形例に係るモータモジュール１０Ｃの断面図である。図７の例のモータモジュール１０Ｃでは、上側第２仕切部６２Ｃが、軸方向に対して略垂直に拡がる第２板部６２１Ｃのみを有する。すなわち、上側第２仕切部６２Ｃが、第２板部６２１Ｃから軸方向他方側に延びる第２屈曲部を有していない。これにより、第２連通路４２３Ｃの管路長は、上側第２仕切部６２Ｃの厚みと同一の長さとなる。また、下側第２仕切部６４Ｃも、上側第２仕切部６２Ｃと同様の形状を有する。
【００５２】
図７に示すように、各仕切部は、各連通路の管路長を確保するための屈曲部を有していなくてもよい。このように、第１連通路および第２連通路の管路長が短い場合であっても、第１拡張型消音器および第２拡張型消音器は、消音性能を有する。
【００５３】
図８は、他の変形例に係るモータモジュール１０Ｄの断面図である。図８の例のモータモジュール１０Ｃでは、第１連通路４２１Ｄおよび第２連通路４２３Ｄは、本体部２１Ｄの内壁に沿って配置される。そして、第１連通路４２１Ｄおよび第２連通路４２３は、少なくとも一部が軸方向に重なる。
【００５４】
これにより、ファン３２Ｄにより生じた、本体部２１Ｄの内壁に沿って軸方向他方側へと向かう気流が、第１連通路４２１Ｄおよび第２連通路４２３Ｄに進入しやすい。すなわち、上側流路４２Ｄ内の流路抵抗が低くなる。したがって、モータモジュール１０Ｄ全体としての送風効率を向上できる。
【００５５】
上記の実施形態および変形例では、ファンが遠心ファンであったが、本発明はこれに限られない。本発明のモータモジュールおよび掃除機に用いられるファンは、斜流ファンであってもよい。
【００５６】
上記の実施形態および変形例では、ファンの下流側において、流路が２つに分岐したが、本発明はこれに限られない。ファンの下流側において、流路は１つであってもよい。その場合、流路は、モータの外側において周方向に繋がる環状の流路であってもよい。また、ファンの下流側において、流路は３つ以上に分岐してもよい。
【００５７】
上記の実施形態の掃除機は、ハンディ型の掃除機であったが、本発明はこれに限られない。本発明のモータモジュールは、ハンディ型と同様、吸気ヘッドおよび粉塵分離部を介して吸気口へ気体を吸引するとともに、当該気体を排気口から排出する、アップライト型またはスティック型の掃除機に搭載されてもよい。
【００５８】
また、本発明のモータモジュールは、いわゆるキャニスタ型の掃除機に搭載されてもよい。キャニスタ型の掃除機は、吸気ヘッドおよび粉塵分離部に加えて、吸気ヘッドと粉塵分離部とを繋ぐホース部を有する。モータモジュールは、吸気ヘッド、ホース部および粉塵分離部を介して吸気口へと気体を吸引するとともに、当該気体を排気口から排出する。
【００５９】
また、各部材の細部の形状については、本願の各図に示された形状と、相違していてもよい。例えば、吸気口、排気口および壁部の各部の形状が、上記の実施形態および変形例と異なっていてもよい。また、上記の各要素を、矛盾が生じない範囲で、適宜に組み合わせてもよい。
【産業上の利用可能性】
【００６０】
本発明は、モータモジュールおよび掃除機に利用できる。
【符号の説明】
【００６１】
１  掃除機
９  回転軸
１０，１０Ａ，１０Ｂ，１０Ｃ，１０Ｄ  モータモジュール
１１  粉塵分離部
１２  ノズル
２０  筐体
２１，２１Ｄ  本体部
２２  取っ手部
３１  モータ
３２，３２Ａ，３２Ｄ  ファン
４０，４０Ａ  流路
４１  ファン収容部
４２，４２Ａ，４２Ｄ  上側流路
４３，４３Ａ  下側流路
５１  上側壁部
５２  下側壁部
６１  上側第１仕切部
６２，６２Ｂ，６２Ｃ  上側第２仕切部
６３  下側第１仕切部
６４，６４Ｂ  下側第２仕切部
７１  第１筐体
７２  第２筐体
９０  平面
２１１  吸気口
２１２，２１２Ａ  排気口
４０１  第１拡張型消音器
４０２  第２拡張型消音器
４２１，４２１Ｄ，４３１  第１連通路
４２２，４３２  第１消音室
４２３，４２３Ｃ，４２３Ｄ，４３３  第２連通路
４２４，４３４  第２消音室
５１１  上側モータ被覆部
５１２  上側隔壁部
５２１  下側モータ被覆部
５２２  下側隔壁部
６１１  第１板部
６１２  第１屈曲部
６２１，６２１Ｂ，６２１Ｃ，６４１Ｂ  第２板部
６２２  第２屈曲部
７１０，７２０  接触面
７１１  第１凸部
７２１  第１凹部
【図１】
2018064849.tif 000003
【図２】
2018064849.tif 000004
【図３】
2018064849.tif 000005
【図４】
2018064849.tif 000006
【図５】
2018064849.tif 000007
【図６】
2018064849.tif 000008
【図７】
2018064849.tif 000009
【図８】
2018064849.tif 000010